(57)【要約】      （修正有）【課題】敷き布団またはマット上で、かつ寝ている人が寝返り等の動きに対しても位置ずれを起こすことなく正確に布設可能な滑り止め付防水性シーツを提供する。【解決手段】シーツに適した布帛シート１の片面に防水シート２を組合わせた防水性シーツであって、この防水性シーツの向かい合う少なくとも一対の端部に、各々、複数の滑り止め突起状留め具４を取付ける。より好ましくは、滑り止め突起状留め具４が、半球状または半球柱状からなる留め具である。【選択図】図１
0003219450.tif 000002
【実用新案登録請求の範囲】
【請求項１】
シーツに適した布帛シートの片面に防水シートを組合わせた防水性シーツであって、この防水性シーツの向かい合う少なくとも一対の端部に、各々、複数の滑り止め突起状留め具を取付けたことを特徴とする滑り止め付防水性シーツ。
【請求項２】
前記滑り止め突起状留め具が、半球状または半球柱状からなる留め具であることを特徴とする請求項１に記載の滑り止め付防水性シーツ。
【考案の詳細な説明】
【技術分野】
【０００１】  本考案は、敷き布団またはマット上で、かつ寝ている人が寝返り等の動きに対しても位置ずれを起こすことなく正確に布設可能な滑り止め付防水性シーツに関する。
【背景技術】
【０００２】  乳幼児や病人等がベッド上で排尿等しても、ベッドを汚さないようにベッド上に防水性のシーツを重ねて布設されることがある。
この防水性シーツは、綿・化学繊維からなる布帛シートと、綿・化学繊維にゴムやウレタン樹脂等を含浸させた防水シートを一体に形成したものが一般的である。【０００３】  従来の防水性シーツは、ベッドやベッド上に敷かれる通常のシーツとのなじみが悪く、寝ている人が寝返り等により動くことにより下方のシーツと上部の防水性シーツとがずれて、防水性シーツがめくれたり、重なったりしてしわが生じ、使用上不便であるとともに、医療用として用いられているために、このしわの生じた部分に長時間体を押し付けていると、使用者に苦痛を与えることがある。このために、看護人がしばしばこのしわを伸ばす必要があり、看護人に大きな負担を負わせている。【０００４】  こうした不便を解消する目的で、シーツである綿・化学繊維とゴムやウレタン樹脂等を含浸させた防水シートの間に、粘着性の高分子材料を貼りつけて両者を一体化した防水性シーツが提案されている。（先行文献１）
しかし、シートと防水シートを一体化した防水性シーツは、シーツ全体の風合いが硬くなることや、洗濯がし難い等取扱性が悪く、普及しづらいものであった。
【先行技術文献】
【特許文献】
【０００５】
【特許文献１】公開実用新案公報平４−７４０７６号
【考案の概要】
【考案が解決しようとする課題】
【０００６】  本考案の課題は、敷き布団またはマット上で、かつ寝ている人が寝返り等の動きに対しても位置ずれを起こすことなく正確に布設可能な滑り止め付防水性シーツを提供することにある。
【課題を解決するための手段】
【０００７】  本考案では、シーツに適した布帛の片面に防水シートを組合わせた防水性シーツであって、この防水性シーツの向かい合う少なくとも一対の端部に、各々、、複数の滑り止め突起状留め具を取付けたことを特徴とする滑り止め付防水性シーツとすることにより、前記課題を解決するものである。【０００９】  より具体的には、前記滑り止め突起状留め具が、半球状または半球柱状からなる留め具であることを特徴とする請求項１に記載の滑り止め付防水性シーツである。
【考案の効果】
【００１０】  本考案によれば、シーツに適した布帛の片面に防水シートを組合わせた防水性シーツであって、この防水性シーツの向かい合う少なくとも一対の端部に、各々、複数の滑り止め突起状留め具を取付けることにより、ベッド等の裏側に織り込んだ防水性シーツが、ベッド等の重みや人が寝ることによる重みによって、この滑り止め突起状止め具が押圧されて、寝ている人が寝返り等の動きをしても防水性シーツの位置ずれを起こすことなく付設される。【００１１】  更に、滑り止め突起状止め具が、半球状または半球柱状であれば、押圧をこの部分に集中することで、防水性シーツの位置ずれを確実に抑止することが可能となる。
【図面の簡単な説明】
【００１２】
【図１】本考案の滑り止め付防水シーツを示す模式図。
【図２】本考案の滑り止め付防水シーツをベッドに取り付けた状態を示す模式図
【図３】本考案の滑り止め付防水シーツをベッドに取り付けた状態を示す模式図
【図４】滑り止め突起状留め具の形状を示す模式図
【図５】滑り止め突起状留め具の形状を示す模式図
【考案を実施するための形態】
【００１３】  以下、図を用いて本考案を詳細に説明する。
図１は、本考案の滑り止め付防水性シーツの模式図を示す。
本考案の滑り止め付防水性シーツ３は、表面が綿・化学繊維からなる布帛シート１であり、裏面に綿・化学繊維にゴムやウレタン樹脂等を含浸させた防水シート２を一体に形成したものである。
この防水性シーツ３の少なくとも一旦端部に、複数の滑り止め突起状留め具４を取付けている。滑り止め突起状留め具の取付け位置は、布帛シート１であっても、防水シート２側であっても良いが、ベッドへの取付け性から、布帛シート１側に取り付けることが好ましい。
【００１４】    図２は、本考案の滑り止め付防水シーツ３を、ベッドに取り付けた様子を示す模式図である。
滑り止め付防水シーツ３の先端を、ベッドクッション材６の裏側に折り込んで使用することで、ベッドクッション材６と使用する人の重量により、滑り止め突起状留め具４がストッパーの効果を果たして防水性シーツ３がベッドから抜けるのを防止する効果を発揮する。
【００１５】    滑り止め突起状留め具４の位置は、図１に示すように、ベッドを使用する際の利用者の頭部側と脚側の端部であることが好ましい。必要によっては、図３に示すように、利用者の腰部側にも滑り止め突起状留め具４を取り付けることも可能である。
【００１６】    本考案の滑り止め突起状留め具４は、形状は特定されないか、製作や取付けの容易性から、半球状５または半球柱状４からなる留め具であることが好ましい。
図４は半球柱状の留め具の例を示す模式図、図５は半球状の留め具の例を示す模式図を示すが、滑り止め効果を有するものであれば、これらの形状には限定されない。
半球状または半球柱状の滑り止め具の大きさは、半径１〜５ｃｍであることが好ましい。半径柱状である場合には、長さは３〜１０ｃｍであることが好ましい。
【００１７】本考案の滑り止め突起状留め具の材質は、特に特定されないが、プラスチックやゴム、またはこれらと同程度の弾力性のある布等を用いることができる。
【００１８】  防水性シーツに取り付ける滑り止め突起状留め具４の取付け数は、防水性シーツの滑り止め効果を発揮させる目的から、２〜６個であることが好ましい。一般的には、２〜４個が採用される。
【００１９】  滑り止め留め具の防水性シーツ３への取付け方は、布帛シートまたは防水シートに、接着剤または縫製によって取り付けられる。
【産業上の利用可能性】
【００２０】  本考案の滑り止め付防水性シーツは、主に、乳幼児や病人等のベッド上で排尿等が予想される際に使用されるが、通常のベッド等で使用しても、シーツの乱れを防止することが可能である。
【符号の説明】
【００２１】１  布帛シート
２  防水シート
３  防水性シーツ
４  半球柱状滑り止め突起状留め具
５  半球状滑り止め突起状留め具
６  クッション材
【図１】
0003219450.tif 000003
【図２】
0003219450.tif 000004
【図３】
0003219450.tif 000005
【図４】
0003219450.tif 000006
【図５】
0003219450.tif 000007